(57)【要約】    【課題】この発明は、結線の際の半田上がり及びフラックス上がりを防止して、接続信頼性を向上させるようにした電気コネクタを提供する。      【解決手段】ケーブルと半田付け接続される半田付け部１２ｂを有する導電端子１２と、この導電端子１２を配設した絶縁体のハウジング１１とを少なくとも有する電気コネクタ１０において、導電端子１２に半田付け部１２ｂを上面として下方へ折れ曲がる湾曲部１５を形成するようにした。    【選択図】  図１
2006086029.tif 000002
【特許請求の範囲】
【請求項１】
ケーブルと半田付け接続される半田付け部を有する導電端子と、該導電端子を配設した絶縁体のハウジングとを少なくとも有する電気コネクタにおいて、
前記導電端子に、前記半田付け部を上面として下方へ折れ曲がる湾曲部を形成するようにしたことを特徴とする電気コネクタ。
【請求項２】
前記半田付け部の下方に位置する前記ハウジング内には空間部が形成されていることを特徴とする請求項１に記載の電気コネクタ。
【発明の詳細な説明】
【技術分野】
【０００１】
この発明は、ケーブルとケーブル、あるいはケーブルと印刷配線基板等を電気的に接続するケーブル接続用の電気コネクタに関し、特にケーブルと接続される電気コネクタの導電端子の改良に関する。
【背景技術】
【０００２】
従来から、ケーブルとケーブル、あるいはケーブルと印刷配線基板等を接続する電気コネクタとしては各種のものが使用されているが、電気コネクタに配設された導電端子とケーブルとの電気的接続は半田付けにより行なわれている。  
図５は従来の電気コネクタ１を示す要部断面概念斜視図で、特に図示せぬリセプタクルに嵌着してケーブルを電気的に接続するプラグを示している。
【０００３】
この電気コネクタ１は、プラスチック等の合成樹脂で形成された絶縁体のハウジング２と、このハウジング２の幅方向に沿って所定のピッチで配設された複数本の導電端子３とから構成され、この導電端子３はハウジング２の幅方向に沿って所定のピッチで互いに隣接するよう形成された収容部４内にそれぞれ位置決め配置されている。    
この導電端子３はフラットな直線状の平板により形成され、先端は図示せぬリセプタクルの対応する導電端子と圧接して電気的に接続する接続部３ａとなり、後端は後述するケーブルと半田付けされる半田付け部３ｂとなっている。
【０００４】
そして、従来、ケーブルと上述した導電端子３とを半田付けする場合は、例えば図５の要部断面図で示す図６のように、複数本の導電端子３の各半田付け部３ｂの各上面を跨ぐようにフラックスを塗布した一本の半田バー５を配設する。
【０００５】
その後、図７で示すように、複数本の同軸ケーブルからなるケーブル本体６の各中心導体６ａを対応する各導電端子３の半田付け部３ｂの上面に配設された半田バー５上に配設し、図示せぬパルスヒートのヒータチップにより複数本の中心導体６ａと、これに対応する複数本の導電端子３の各半田付け部３ｂとを一括して半田付けして接続する。なおオペレータによる手半田により一本づつ半田付けして接続する場合もある。
【発明の開示】
【発明が解決しようとする課題】
【０００６】
ところで、上述した従来の電気コネクタ１によると、図８で示すように、複数本の同軸ケーブルからなるケーブル本体６の各中心導体６ａを対応する各導電端子３の半田付け部３ｂの上面に配設された半田バー５上に配設し、図示せぬパルスヒートのヒータチップ、あるいはオペレータによる手半田により一本づつ半田付けして接続する際、加熱溶融された半田あるいは余分なフラックス８は各導電端子３の接続部３ａ側へ流れ出し（いわゆる半田上がり、フラックス上がりの発生）、これが原因となって電気コネクタ１の接続不良を招来する原因となっていた。
【０００７】
この発明は、上述した事情に鑑み、結線の際の半田上がり及びフラックス上がりを防止して、接続信頼性を向上させるようにした電気コネクタを提供することを目的とする。
【課題を解決するための手段】
【０００８】
上述した課題を解決するため、この発明では、ケーブルと半田付け接続される半田付け部を有する導電端子と、該導電端子を配設した絶縁体のハウジングとを少なくとも有する電気コネクタにおいて、前記導電端子に、前記半田付け部を上面として下方へ折れ曲がる湾曲部を形成するようにしている。
【発明の効果】
【０００９】
上述した、本願発明の電気コネクタによると、導電端子に、半田付け部を上面して下方へ折れ曲がる湾曲部を形成したため、半田付けして接続する際に、加熱溶融された半田あるいはフラックスは、半田付け部を上面として下方へ折れ曲がる湾曲部側へ移動して、そこに溜まることとなり、このため加熱溶融された半田あるいはフラックスは各導電端子の他の部分へ流れ出すことが可及的に防止され、このため半田上がり、フラックス上がりを原因とする接続不良を可及的に低減させて接続信頼性を著しく向上させた電気コネクタを提供することができる。
【発明を実施するための最良の形態】
【００１０】
以下、この発明に係る電気コネクタの一実施例を詳述する。
【００１１】
図１はこの発明に係る電気コネクタ１０を示す要部破断概念斜視図である。
【００１２】
この実施例の電気コネクタ１０も図示せぬリセプタクルに嵌着してケーブルを電気的に接続するプラグタイプのコネクタである。
【００１３】
この電気コネクタ１０も、従来と同様にプラスチック等の合成樹脂で形成された絶縁体のハウジング１１と、このハウジング１１の幅方向に沿って所定のピッチで配設された複数本の導電端子１２とから構成されている。
【００１４】
また、この各導電端子１２は、ハウジング１１の幅方向に沿って所定のピッチで互いに隣接するよう形成された収容凹部１３内にそれぞれ位置決め配置されている。    
この導電端子１２も従来と同様に図示せぬリセプタクルの対応する導電端子と圧接して電気的に接続する接続部１２ａと後述するケーブルと半田付けされる半田付け部１２ｂとから構成され、また接続部１２ａと半田付け部１２ｂとの間には、当該半田付け部１２ｂを上面として、下方へ折れ曲がる断面Ｕ字形状の湾曲部１５が形成されている。
【００１５】
一方、この電気コネクタ１０の収容凹部１３内には、前記導電端子１２の半田付け部１２ｂをその底面１３ａから上方へ一定距離離間させる円柱形状の突起１３ｂが一体に形成され、この突起１３ｂにより導電端子１２の半田付け部１２ｂは水平に支持され、またこの導電端子１２の半田付け部１２ｂの下面に位置する凹部１３内に空間部１６を形成している。
【００１６】
また、前記収容凹部１３を形成する壁体１３ｃには、突起１３ｂと対向する位置に切り欠１３ｄが形成されている。
【００１７】
次に上述した電気コネクタ１０の作用を説明する。
【００１８】
図１の要部断面図で示す図２のように、ハウジング１１の各収容凹部１３内に対応する各導電端子１２が配設されると、半田付け部１２ｂは円柱形状の突起１３ｂの先端１３ｅ上に位置決めされる。
【００１９】
その後、図３で示すように、複数本の導電端子１２の各半田付け部１２ｂの各上面を跨ぐようにフラックスを塗布した一本の半田バー５を配設する。
【００２０】
その際、余分なフラックス２０は、導電端子１２の湾曲部１５内に移動してそこに溜まり、あるいは、ハウジング１１の各収容凹部１３と導電端子１２との間に形成された隙間、あるいは切り欠１３ｄを介して空間部１６内に流れてそこに溜まることとなる。
【００２１】
従って、余分なフラックス２０が導電端子１２の接続部１２ａへ移動することが可及的に阻止されることとなる。
【００２２】
その後、図４で示すように、ケーブル本体６の各中心導体６ａを対応する各導電端子１２の半田付け部１２ｂの上面に配設された半田バー５上に配設し、パルスヒートのヒータチップ３０により複数本の中心導体６ａと、これに対応する複数本の導電端子１２の各半田付け部１２ｂとを一括して半田付けして接続する。
【００２３】
すると、この場合も、加熱され溶融する余分な半田４０は、導電端子１２の湾曲部１５内に移動してそこに溜まり、あるいは、ハウジング１１の各収容凹部１３と導電端子１２との間に形成された隙間、あるいは切り欠１３ｄを介して空間部１６内に流れてそこに溜まることとなる。
【００２４】
従って、余分な半田４０も導電端子１２の接続部１２ａへ移動することが可及的に阻止されることとなる。
【００２５】
なお、オペレータによる手半田により一本づつ半田付けして接続する場合でも、同様に余分なフラックス２０、および余分な半田４０は、導電端子１２の湾曲部１５内に移動してそこに溜まり、あるいは、ハウジング１１の各収容凹部１３と導電端子１２との間に形成された隙間、あるいは切り欠１３ｄを介して空間部１６内に流れてそこに溜まることとなる。
【００２６】
従って、オペレータによる手半田により一本づつ半田付けして接続する場合であっても、余分な半田４０及び余分なフラックス２０は導電端子１２の接続部１２ａへ移動することが可及的に阻止されることとなる。
【００２７】
なお、上記実施例では、湾曲部１５を断面Ｕ字形状に形成したが、この発明は上記実施例に限定されることなく、要は不要な半田あるいは余分なフラックスを溜める形状であればいかなる湾曲形状でも良く、実施例の如く断面Ｕ字形状に限定されないことは言うまでもない。
【産業上の利用可能性】
【００２８】
以上説明したように、この発明は、結線の際の半田上がり及びフラックス上がりを防止して、接続信頼性を向上させるようにした電気コネクタに適している。
【図面の簡単な説明】
【００２９】
【図１】図１はこの発明に係る電気コネクタの要部破断概念斜視図。
【図２】図２は図１の要部断面図。
【図３】図３はこの発明に係る電気コネクタの作用を示す要部破断面図。
【図４】図４はこの発明に係る電気コネクタの作用を示す要部破断面図。
【図５】図５は従来の電気コネクタの要部破断概念斜視図。
【図６】図６は図５の要部断面図。
【図７】図７は従来の電気コネクタの作用を示す要部断面図。
【図８】図８は従来の電気コネクタの作用を示す要部断面図。
【符号の説明】
【００３０】
６…ケーブル
１１…ハウジング
１０…電気コネクタ
１２ｂ…半田付け部
１２…導電端子
１５…湾曲部
１６…空間部
【図１】
2006086029.tif 000003
【図２】
2006086029.tif 000004
【図３】
2006086029.tif 000005
【図４】
2006086029.tif 000006
【図５】
2006086029.tif 000007
【図６】
2006086029.tif 000008
【図７】
2006086029.tif 000009
【図８】
2006086029.tif 000010